(57)【特許請求の範囲】
【請求項１】
それぞれ所定の高さ方向に延伸すると共に、前記高さ方向と略直交する所定の長さ方向において互いに間隔を開けて配置される２つのフレームを有する一対のフレームユニットを備え、該一対のフレームユニットが互いに前記高さ方向及び前記長さ方向の両方と略直交する幅方向において間を空けてサーバー収容スペースを間に画成するキャビネットに取り付け可能なラック装置であって、
該ラック装置は、
前記キャビネットの前記２つのフレームユニットにそれぞれ取り付け可能に構成される２つの取り付けユニットと、
両端にある橋架端部がそれぞれ前記２つの取り付けユニットに接続可能に構成された橋架本体を有する橋架手段と、
前記高さ方向に沿って延伸し、前記橋架本体に取り付けられると共に、電源に接続可能な電源接続部及び前記電源接続部に電気的に接続していると共に前記サーバー収容スペース内に収容されるサーバーに接続して前記電源からの電力を前記サーバーに提供するサーバー接続部を有する電源モジュールと、
前記橋架手段の前記橋架端部を、該橋架端部に対応する前記取り付けユニットに接続する複数の接続ユニットを有する接合手段と、を具え、
前記２つの取り付けユニットは、いずれも、前記長さ方向及び前記高さ方向に沿って延伸する板状体に形成されると共に、前記サーバー収容スペースに面する裏面と前記裏面の反対側である表面とを有する取り付け板と、前記長さ方向に沿って摺動できるように前記取り付け板の前記表面に取り付けられる調整板と、前記取り付け板の前記裏面に前記高さ方向に沿って取り付けられる複数の支持モジュールと、を有し、
前記取り付け板の前記長さ方向における両端の周縁には、それぞれ前記幅方向に沿って延伸する第１の側辺部と、第２の側辺部と、が形成されており、
各前記取り付けユニットは、いずれも、該取り付けユニットが対応する前記フレームユニットの前記２つのフレームにおける一者に前記取り付け板の前記第１の側辺部が取り付けられると共に、前記調整板が該フレームユニットの前記２つのフレームにおける他者に取り付けられることにより、対応する前記フレームユニットに取り付け可能であり、
また、前記２つの取り付けユニットにおける一方の前記第２の側辺部には、前記高さ方向に沿って第１の定位ブロックと該第１の定位ブロックの所定距離の下方にある第１の接続孔とが形成され、そして前記２つの取り付けユニットにおける他方の前記第２の側辺部には、前記高さ方向に沿って第２の接続孔と該第２の接続孔の所定距離の下方にある第２の定位ブロックとが形成されており、
前記橋架手段の前記橋架本体の両端にそれぞれある２つの前記橋架端部には、いずれも、それぞれ対応する１つの前記取り付けユニットの前記第２の側辺部に形成された前記第１の定位ブロック及び前記第２の定位ブロックにより挿通可能な定位孔と、該取り付けユニットの前記第２の側辺部に形成された前記第１の接続孔及び前記第２の接続孔と互いに向かい合って連通可能な取り付け孔と、が形成されており、
２つの前記橋架端部に形成された、前記定位孔がそれぞれ前記第１の定位ブロックと前記第２の定位ブロックにより挿通され、且つ、１つの前記接続ユニットが前記第１の接続孔及び該第１の接続孔が対応する１つの前記取り付け孔を一斉に挿通し、もう１つの前記接続ユニットが前記第２の接続孔及び該第２の接続孔が対応するもう１つの前記取り付け孔を一斉に挿通して締結することにより前記第２の側辺部に接続可能であり、
前記２つの取り付けユニットにおける前記一方に取り付けられた前記支持モジュールは、前記他方に取り付けられた前記支持モジュールと共に、前記サーバー収容スペース内に収容される前記サーバーを支持すると共に、前記高さ方向に隣接する前記支持モジュールと共に支持スペースを画成し、
前記支持スペースの大きさは、前記高さ方向に隣接する２つの前記支持モジュールの間の距離によって決定され、
前記取り付けユニットは、前記取り付け板に摺動可能に取り付けられる前記調整板の摺動により、前記第１の側辺部と前記調整板がそれぞれ取り付けられる前記２つのフレームの間にある異なる間隔に対応することができる
ことを特徴とするラック装置。
【請求項２】
前記取り付け板の前記表面には、複数のガイドブロックが形成されており、
前記調整板には、前記複数のガイドブロックにより挿通され、且つ、前記長さ方向に沿って延伸する複数のガイドスロットが形成されている
ことを特徴とする請求項１に記載のラック装置。
【請求項３】
各前記フレームには、前記高さ方向に沿って穿設される複数の接合孔が形成されていて、
前記第１の側辺部には、対応する前記フレームの前記接合孔に対応して穿設される複数の第１の対応孔が形成されていて、
前記調整板は、前記調整板から外側へ延伸する延伸板を有し、
前記調整板の前記延伸板には、対応する前記フレームの前記接合孔に対応して穿設される複数の第２の対応孔が形成されている
ことを特徴とする請求項１または請求項２に記載のラック装置。
【請求項４】
前記接合手段は、前記フレームに形成される前記複数の接合孔の一部と該一部の接合孔に対応する前記第１の対応孔及び前記第２の対応孔とを貫通して前記取り付け板及び前記調整板をそれぞれ対応する前記フレームに係合する複数の係合ユニットと、前記複数の接合孔の他の一部と該他の一部の接合孔に対応する前記第１の対応孔及び前記第２の対応孔とに締結される複数の締付ユニットと、を有する
ことを特徴とする請求項３に記載のラック装置。
【請求項５】
前記支持モジュールは、複数の支持手段を有し、
前記支持手段は、前記取り付け板の前記裏面に取り付けられる取り付け部と、前記取り付け部から延伸して、前記サーバーを支持する支持部と、を有し、
前記取り付け板の前記裏面には、各前記支持モジュールが有する各前記支持手段それぞれの前記取り付け部に対応して受け入れることができる複数の取り付けスロットが形成されている
ことを特徴とする請求項１〜４のいずれか一項に記載のラック装置。
【請求項６】
前記取り付けユニットは、前記取り付け板の前記裏面に取っ手が取り付けられている
ことを特徴とする請求項１〜５のいずれか一項に記載のラック装置。
【請求項７】
前記橋架手段の前記橋架本体には、互いに斜めに並ぶように穿設される複数のポカヨケ孔が形成されており、
前記電源モジュールの前記サーバー接続部には、各前記ポカヨケ孔をそれぞれ挿通可能に突起する複数のポカヨケ柱が形成されている
ことを特徴とする請求項１〜６のいずれか一項に記載のラック装置。
【発明の詳細な説明】
【技術分野】
【０００１】
本発明はラック装置に関し、詳しくは、サーバーを支持するラック装置に関する。
【背景技術】
【０００２】
データセンターなどにおいては、ラックに搭載される多数のサーバーが運用されている。そして、ラックに搭載されるサーバーのサイズも、それに対応して搭載するラックも、規定の規格に作成されている。米国の電子工業会（ＥＩＡ）によって制定されたその規格は、サーバーの高さ（搭載ピッチ）は、Ｕ（１Ｕ＝約４４．４５ｍｍ）を単位とする。このため、サーバーの高さは、Ｕの倍数となり、そしてこのように生産されるサーバーを搭載するラックの寸法や規格も電子工業会によって制定されている。特許文献１には、このようなラックの一例が開示されている。
【先行技術文献】
【特許文献】
【０００３】
【特許文献１】特開２００７−２６６２７８号公報
【発明の概要】
【発明が解決しようとする課題】
【０００４】
しかしながら、近年では、オープンコンピュートプロジェクト（ＯＣＰ）により新たな規格が制定された。該規格におけるサーバーの高さは、ＯＵ（１ＯＵ＝約４８ｍｍ）を単位とする。このように、電子工業会に制定された規格とオープンコンピュートプロジェクトに制定された規格とは異なるので、電子工業会に制定された規格に従って生産販売される従来のラックには、オープンコンピュートプロジェクトが制定したＯＵを単位として製造されたサーバーを適用することができない。
【０００５】
したがって、本発明は、異なる規格に対応できるラック装置を提供することを目的とする。
【課題を解決するための手段】
【０００６】
前記目的を達成するための手段として、本発明は、以下のラック装置を提供する。
【０００７】
本発明のラック装置は、
それぞれ所定の高さ方向に延伸すると共に、前記高さ方向と略直交する所定の長さ方向において互いに間隔を開けて配置される２つのフレームを有する一対のフレームユニットを備え、該一対のフレームユニットが互いに前記高さ方向及び前記長さ方向の両方と略直交する幅方向において間を空けてサーバー収容スペースを間に画成するキャビネットに取り付け可能なラック装置であって、該ラック装置は、前記キャビネットの前記２つのフレームユニットにそれぞれ取り付け可能に構成される２つの取り付けユニットと、両端にある橋架端部がそれぞれ前記２つの取り付けユニットに接続可能に構成された橋架本体を有する橋架手段と、前記高さ方向に沿って延伸し、前記橋架本体に取り付けられると共に、電源に接続可能な電源接続部及び前記電源接続部に電気的に接続していると共に前記サーバー収容スペース内に収容されるサーバーに接続して前記電源からの電力を前記サーバーに提供するサーバー接続部を有する電源モジュールと、前記橋架手段の前記橋架端部を、該橋架端部に対応する前記取り付けユニットに接続する複数の接続ユニットを有する接合手段と、を具え、前記２つの取り付けユニットは、いずれも、前記長さ方向及び前記高さ方向に沿って延伸する板状体に形成されると共に、前記サーバー収容スペースに面する裏面と前記裏面の反対側である表面とを有する取り付け板と、前記長さ方向に沿って摺動できるように前記取り付け板の前記表面に取り付けられる調整板と、前記取り付け板の前記裏面に前記高さ方向に沿って取り付けられる複数の支持モジュールと、を有し、前記取り付け板の前記長さ方向における両端の周縁には、それぞれ前記幅方向に沿って延伸する第１の側辺部と、第２の側辺部と、が形成されており、各前記取り付けユニットは、いずれも、該取り付けユニットが対応する前記フレームユニットの前記２つのフレームにおける一者に前記取り付け板の前記第１の側辺部が取り付けられると共に、前記調整板が該フレームユニットの前記２つのフレームにおける他者に取り付けられることにより、対応する前記フレームユニットに取り付け可能であり、また、前記２つの取り付けユニットにおける一方の前記第２の側辺部には、前記高さ方向に沿って第１の定位ブロックと該第１の定位ブロックの所定距離の下方にある第１の接続孔とが形成され、そして前記２つの取り付けユニットにおける他方の前記第２の側辺部には、前記高さ方向に沿って第２の接続孔と該第２の接続孔の所定距離の下方にある第２の定位ブロックとが形成されており、前記橋架手段の前記橋架本体の両端にそれぞれある２つの前記橋架端部には、いずれも、それぞれ対応する１つの前記取り付けユニットの前記第２の側辺部に形成された前記第１の定位ブロック及び前記第２の定位ブロックにより挿通可能な定位孔と、該取り付けユニットの前記第２の側辺部に形成された前記第１の接続孔及び前記第２の接続孔と互いに向かい合って連通可能な取り付け孔と、が形成されており、２つの前記橋架端部に形成された、前記定位孔がそれぞれ前記第１の定位ブロックと前記第２の定位ブロックにより挿通され、且つ、１つの前記接続ユニットが前記第１の接続孔及び該第１の接続孔が対応する１つの前記取り付け孔を一斉に挿通し、もう１つの前記接続ユニットが前記第２の接続孔及び該第２の接続孔が対応するもう１つの前記取り付け孔を一斉に挿通して締結することにより前記第２の側辺部に接続可能であり、前記２つの取り付けユニットにおける前記一方に取り付けられた前記支持モジュールは、前記他方に取り付けられた前記支持モジュールと共に、前記サーバー収容スペース内に収容される前記サーバーを支持すると共に、前記高さ方向に隣接する前記支持モジュールと共に支持スペースを画成し、前記支持スペースの大きさは、前記高さ方向に隣接する２つの前記支持モジュールの間の距離によって決定され、前記取り付けユニットは、前記取り付け板に摺動可能に取り付けられる前記調整板の摺動により、前記第１の側辺部と前記調整板がそれぞれ取り付けられる前記２つのフレームの間にある異なる間隔に対応することができる。
【発明の効果】
【０００８】
上記構成によれば、本発明は、前記調整板が前記長さ方向に沿って前記取り付け板に対して摺動することができるので、前記第１の側辺部と前記調整板がそれぞれ取り付けられる前記２つのフレームの間にある異なる間隔に対応することができる。さらに、前記支持スペースの大きさは、前記支持モジュールの取り付け位置を変更することで調整することができるので、本発明は、ＵまたはＯＵを単位として製造されたサーバーのいずれにも対応することができる。
【０００９】
さらに、２つの前記取り付けユニットの前記一方の前記第２の側辺部には、前記第１の接続孔が前記第１の定位ブロックの下方にあり、前記他方の前記第２の側辺部には、前記第２の定位ブロックが前記第２の接続孔の下方にあると共に、前記橋架端部には、対応の前記第２の側辺部に形成された前記第１の定位ブロック及び前記第１の接続孔または前記第２の定位ブロック及び前記第２の接続孔に対応して、前記定位孔及び前記取り付け孔が形成されることにより、本発明は、前記電源モジュール及び前記橋架手段を所定の軸線を回転軸として半回転させてから２つの前記第２の側辺部に取り付けることができるので、前記電源接続部の相対位置を前記サーバーの上方と前記サーバーの下方との間で切り替えることができるので、電気供給の配線が従来より便利になっている。
【図面の簡単な説明】
【００１０】
【図１】本発明の一実施形態のラック装置がキャビネットに取り付けられることを示す斜視図である。
【図２】複数の上記ラック装置が該キャビネットの２つのフレームユニットに取り付けられることができることを示す斜視図である。
【図３】上記ラック装置とフレームユニットを示す分解斜視図である。
【図４】上記ラック装置を示す分解斜視図である。
【図５】上記ラック装置の取り付けユニットの表面を示す分解斜視図である。
【図６】上記ラック装置の取り付けユニットの裏面を示す斜視図である。
【図７】図６に示される取り付けユニットの分解斜視図である。
【図８】取り付け板が接合手段によりフレームユニットの１つのフレームに取り付けられることを示す部分拡大図である。
【図９】調整板が接合手段により該フレームユニットのもう１つのフレームに取り付けられることを示す部分拡大図である。
【図１０】上記ラック装置の背面図である。
【図１１】２つの橋架手段が２つの取り付け板の第２の側辺部から取り外されている様子が示される斜視図である。
【図１２】取り外された２つの橋架手段が所定の軸線を回転軸として半回転して、２つの取り付け板の第２の側辺部に取り付けられたことを示す斜視図である。
【発明を実施するための形態】
【００１１】
以下、本発明の一実施形態のラック装置について、図面を参照して説明する。
【００１２】
図１と図２に示されているように、本実施形態のラック装置は、キャビネット９内に取り付けられている。該キャビネットは、それぞれ所定の高さ方向Ｄ３に延伸すると共に、高さ方向Ｄ３と略直交する所定の長さ方向Ｄ２において互いに間隔を開けて配置される２つのフレーム９２１を有する一対のフレームユニット９２を備え、該一対のフレームユニット９２が互いに高さ方向Ｄ３及び長さ方向Ｄ２の両方と略直交する幅方向Ｄ１において間を空けてサーバー収容スペース９１１を間に画成する。各フレーム９２１には、高さ方向Ｄ３に沿って穿設される複数の接合孔９２２（図３参照）が形成されている。ここでは、該キャビネット９の幅方向Ｄ１において隣接する２つのフレーム９２１を前フレーム９２１ａとして、該キャビネット９の幅方向Ｄ１において隣接するもう２つのフレーム９２１を後フレーム９２１ｂとする。
【００１３】
図２の上半部に示されているように、本実施形態のラック装置は、キャビネット９の２つのフレームユニット９２にそれぞれ取り付けられる２つの取り付けユニット１と、両端がそれぞれ２つの取り付けユニット１に接続される２つの橋架手段３と、高さ方向Ｄ３に沿って延伸し、橋架手段３に取り付けられると共に、電源に接続していると共にサーバー収容スペース９１１内に収容されるサーバーに接続して電源からの電力をサーバーに提供する電源モジュール４と、取り付けユニット１をフレームユニット９２に接合する接合手段２と、を具える。また、本発明は、図２の下半部に示されているように、取り付けユニット１及び橋架手段３の数量については、特に制限はなく、設計に応じて変更することができる。また、本実施形態においては、図２に示されているように、２つの取り付けユニット１に対して、２つの橋架手段３が取り付けられているが、本発明は、これに限定されず、例えば、２つの取り付けユニット１に対して、１つまたは３つ以上の橋架手段３が取り付けられていてもよい。
【００１４】
図３〜図７に示されているように、各取り付けユニット１は、いずれも、長さ方向Ｄ２及び高さ方向Ｄ３に沿って延伸する板状体に形成されると共に、サーバー収容スペース９１１に面する裏面と裏面の反対側である表面とを有する取り付け板１１と、長さ方向Ｄ２に沿って摺動できるように取り付け板１１の表面に取り付けられる調整板１２と、取り付け板１１の裏面に取り付けられる２つの取っ手１３と、取り付け板１１の裏面に高さ方向Ｄ３に沿って取り付けられる複数の支持モジュール１４と、を有する。
【００１５】
図３〜図５に示されているように、取り付け板１１の表面には、複数のガイドブロック１１１ａが形成されており、調整板１２には、複数のガイドブロック１１１ａにより挿通され、且つ、長さ方向Ｄ２に沿って延伸する複数のガイドスロット１２１ａが形成される。ガイドスロット１２１ａがガイドブロック１１１ａにより挿通されていることにより、調整板１２は、ガイドスロット１２１ａに画成される範囲内で取り付け板１１に対して摺動することができる。つまり、調整板１２は、ガイドスロット１２１ａの延伸方向である長さ方向Ｄ２に沿って取り付け板１１に対して摺動することができる。
【００１６】
また、取り付け板１１の長さ方向Ｄ２における両端の周縁には、それぞれ幅方向Ｄ１に沿って外部へ延伸する第１の側辺部１１２と、幅方向Ｄ１に沿って内部へ延伸する第２の側辺部１１３と、が形成されている。取り付けユニット１の第１の側辺部１１２は、対応するフレームユニット９２における前フレーム９２１ａの接合孔９２２に対応して穿設される複数の第１の対応孔１１２ａが形成される。該取り付けユニット１の調整板１２は、調整板１２から外側へ延伸する延伸板１２２を有し、その延伸板１２２には、対応するフレームユニット９２における後フレーム９２１ｂの接合孔９２２に対応して穿設される複数の第２の対応孔１２２ａが形成される。
【００１７】
図８に示されているように、接合手段２は、複数の係合ユニット２２と複数の締付ユニット２３とを有する。係合ユニット２２は、前フレーム９２１ａの複数の接合孔９２２の一部と該一部の接合孔９２２に対応する第１の対応孔１１２ａとを貫通して取り付け板１１の第１の側辺部１１２を前フレーム９２１ａに係合する。締付ユニット２３は、前フレーム９２１ａの複数の接合孔９２２の他の一部と該他の一部の接合孔９２２に対応する第１の対応孔１１２ａとに締結される。これによって、取り付け板１１の第１の側辺部１１２は、該取り付け板１１を有する取り付けユニット１に対応するフレームユニット９２における前フレーム９２１ａに取り付けられる。
【００１８】
図９に示されているように、係合ユニット２２はまた、後フレーム９２１ｂの複数の接合孔９２２の一部と該一部の接合孔９２２に対応する第２の対応孔１２２ａとを貫通して調整板１２の延伸板１２２を後フレーム９２１ｂに係合する。締付ユニット２３はまた、後フレーム９２１ｂの複数の接合孔９２２の他の一部と該他の一部の接合孔９２２に対応する第２の対応孔１２２ａとに締結される。これによって、調整板１２の延伸板１２２は、該調整板１２を有する取り付けユニット１に対応するフレームユニット９２における後フレーム９２１ｂに取り付けられる。
【００１９】
調整板１２が長さ方向Ｄ２に沿って取り付け板１１に対して摺動することができるので、取り付けユニット１は、第１の側辺部１１２と調整板１２がそれぞれ取り付けられる前フレーム９２１ａと後フレーム９２１ｂの間にある異なる間隔に対応することができる。
【００２０】
つまり、取り付けユニット１を対応のフレームユニット９２に取り付けるときには、まず、取り付けユニット１の取り付け板１１の第１の側辺部１１２を、係合ユニット２２と締付ユニット２３とを介して、前フレーム９２１ａに取り付ける。次に、調整板１２の延伸板１２２が後フレーム９２１ｂに当接するように調整板１２を取り付け板１１に対して摺動させてから、延伸板１２２を、係合ユニット２２と締付ユニット２３とを介して、後フレーム９２１ｂに取り付ける。また、取っ手１３は、取り付けユニット１の運搬または取り付けが容易になるよう、取り付け板１１の裏面に取り付けられている。取り付けが終わった後には、取っ手１３は取り付け板１１の裏面から取り外されてもよい。また、本実施形態において、取っ手１３は２つあるが、本発明は、これに限定されず、例えば取っ手１３が１つまたは３つ以上あってもよい。
【００２１】
図４に示されているように、２つの取り付けユニット１における一方の第２の側辺部１１３には、高さ方向Ｄ３に沿って第１の定位ブロック１１３ａ１と該第１の定位ブロック１１３ａ１の所定距離の下方にある第１の接続孔１１３ｂ１とが形成され、そして２つの取り付けユニット１における他方の第２の側辺部１１３には、高さ方向Ｄ３に沿って第２の接続孔１１３ｂ２と該第２の接続孔１１３ｂ２の所定距離の下方にある第２の定位ブロック１１３ａ２とが形成されている。また、第１の定位ブロック１１３ａ１と第１の接続孔１１３ｂ１と第２の定位ブロック１１３ａ２と第２の接続孔１１３ｂ２とのセットを、１つの定位セット１１３ｃとすると、本実施形態においてラック装置１００は、２つの橋架手段３に対応して、２つの定位セット１１３ｃを有するが、本発明としては、これに限定されず、定位セット１１３ｃの数量が橋架手段３の数量以上であればよい。
【００２２】
図４〜図７に示されているように、２つの取り付けユニット１における前記一方に取り付けられた支持モジュール１４は、前記他方に取り付けられた支持モジュール１４と共に、サーバー収容スペース９１１内に収容されるサーバーを支持すると共に、高さ方向Ｄ３に隣接する支持モジュール１４と共に支持スペース１４２を画成する。支持スペース１４２の大きさは、隣接する２つの支持モジュール１４の間の距離によって決定される。支持モジュール１４は、長さ方向Ｄ２に沿って取り付けられる複数の支持手段１４１を有し、支持手段１４１は、取り付け板１１の裏面に取り付けられる取り付け部１４１ａと、取り付け部１４１ａから延伸して、サーバーを支持する支持部１４１ｂと、を有する。取り付け板１１の裏面には、各支持モジュール１４が有する各支持手段１４１それぞれの取り付け部１４１ａに対応して受け入れることができる複数の取り付けスロット１１１ｂが形成される。使用者は、サーバーの大きさに応じて、支持モジュール１４を取り付ける取り付けスロット１１１ｂを変更することで、支持スペース１４２の大きさを調整することができる。
【００２３】
図４と図１０に示されているように、接合手段２は、橋架手段３を取り付けユニット１に接続する接続ユニット２４を更に有する。
【００２４】
より詳細には、各橋架手段３は、いずれも、２つの取り付けユニット１の間に接続されていると共に、両端にある橋架端部３１がそれぞれ２つの取り付けユニット１に接続されている橋架本体３２を有する。橋架本体３２の両端にある２つの橋架端部３１には、いずれも、それぞれ対応する１つの取り付けユニット１の第２の側辺部１１３に形成された第１の定位ブロック１１３ａ１及び第２の定位ブロック１１３ａ２により挿通可能な定位孔３１１と、該取り付けユニット１の第２の側辺部１１３に形成された第１の接続孔１１３ｂ１及び第２の接続孔１１３ｂ２と互いに向かい合って連通可能な取り付け孔３１２と、が形成されている。つまり、２つの取り付けユニット１における前記一方（第１の定位ブロック１１３ａ１と第１の接続孔１１３ｂ１とが形成されている方）の第２の側辺部１１３に接続される橋架端部３１（図１０における左側に位置する）は、高さ方向Ｄ３に沿って形成されていると共に、第１の定位ブロック１１３ａ１により挿通可能な定位孔３１１と、該定位孔３１１の所定距離の下方に位置し、第１の接続孔１１３ｂ１と互いに向かい合って連通可能な取り付け孔３１２と、を有する。これに対して、２つの取り付けユニット１における前記他方（第２の接続孔１１３ｂ２と第２の定位ブロック１１３ａ２とが形成されている方）の第２の側辺部１１３に接続される橋架端部３１（図１０における右側に位置する）は、高さ方向Ｄ３に沿って形成されていると共に、第２の接続孔１１３ｂ２と互いに向かい合って連通可能な取り付け孔３１２と、該取り付け孔３１２の所定距離の下方に位置し、第２の定位ブロック１１３ａ２により挿通可能な定位孔３１１と、を有する。
【００２５】
橋架手段３は、２つの橋架端部３１に形成された、定位孔３１１がそれぞれ第１の定位ブロック１１３ａ１と第２の定位ブロック１１３ａ２により挿通され、且つ、１つの接続ユニット２４が第１の接続孔１１３ｂ１及び該第１の接続孔１１３ｂ１が対応する１つの取り付け孔３１２を一斉に挿通し、もう１つの接続ユニット２４が第２の接続孔１１３ｂ２及び該第２の接続孔１１３ｂ２が対応するもう１つの取り付け孔３１２を一斉に挿通して締結することにより第２の側辺部１１３に接続されている。
【００２６】
また、橋架本体３２には、電源モジュール４を取り付けるための電源取り付け孔３２１と、互いに斜めに並ぶように電源取り付け孔３２１の隣に穿設される２つのポカヨケ孔３２２と、が形成されている。
【００２７】
電源モジュール４は、高さ方向Ｄ３に沿って延伸し、電源取り付け孔３２１によって橋架本体３２に取り付けられると共に、電源に接続可能な電源接続部４１１と、電源接続部４１１に電気的に接続していると共にサーバーに接続して電源からの電力をサーバーに提供するサーバー接続部４１と、を有する。電源モジュール４のサーバー接続部４１には、各ポカヨケ孔３２２をそれぞれ挿通可能に突起する複数のポカヨケ柱４１２（図１０参照）が形成されている。ポカヨケ孔３２２がポカヨケ柱４１２により挿通されることにより電源モジュール４の取り付けが限定されるので、上下顛倒に取り付けられるという状況を防止することができる。
【００２８】
サーバーと電源の配置は、使用者の需求または電源の規格により異なる。橋架手段３及び該橋架手段３に取り付けられている電源モジュール４を２つの取り付け板１１の第２の側辺部１１３に取り付けるときには、図２の上半部に示されているように、電源接続部４１１がサーバーの下方に位置するように取り付けることもあり、または、図２の下半部に示されているように、電源接続部４１１がサーバーの上方に位置するように取り付けることもある。また、使用者が電源のサーバーに対する相対位置を下方から上方へ切り替えるときには、図１１に示されているように、橋架手段３及び該橋架手段３に取り付けられている電源モジュール４を２つの取り付け板１１の第２の側辺部１１３から取り外して、図１２に示されているように、電源モジュール４及び橋架手段３を所定の軸線Ｃ１を回転軸として半回転させてから２つの第２の側辺部１１３に取り付ける。また、電源のサーバーに対する相対位置を上方から下方へ切り替えるときにも同様である。
【００２９】
一実施形態として以上のような構成とされたラック装置１００によれば、前フレーム９２１ａと後フレーム９２１ｂの間にある間隔が異なっても、調整板１２が長さ方向Ｄ２に沿って取り付け板１１に対して摺動することができるので、ラック装置１００は異なる前記間隔に対応することができる。さらに、支持スペース１４２の大きさは、支持モジュール１４が取り付けている取り付けスロット１１１ｂを変更することで調整することができるので、ラック装置１００は、ＵまたはＯＵを単位として製造されたサーバーに対応することができる。さらに、２つの取り付けユニット１の前記一方の第２の側辺部１１３には、第１の接続孔１１３ｂ１が第１の定位ブロック１１３ａ１の下方にあり、前記他方の第２の側辺部１１３には、第２の定位ブロック１１３ａ２が第２の接続孔１１３ｂ２の下方にあると共に、橋架端部３１には、対応の第２の側辺部１１３に形成された第１の定位ブロック１１３ａ１及び第１の接続孔１１３ｂ１または第２の定位ブロック１１３ａ２及び第２の接続孔１１３ｂ２に対応して、定位孔３１１と取り付け孔３１２とが形成されることにより、ラック装置１００は、電源モジュール４及び橋架手段３を所定の軸線Ｃ１を回転軸として半回転させてから２つの第２の側辺部１１３に取り付けることができるので、その電源接続部４１１の相対位置をサーバーの上方とサーバーの下方との間で切り替えることができる。上述したことにより、本発明に係るラック装置１００は、様々な規格に対応することができる。
【００３０】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００３１】
本発明に係るラック装置は、サーバーを収容するキャビネット内に取り付けられるラックに対する様々な応用が可能である。
【符号の説明】
【００３２】
１００    ラック装置
１        取り付けユニット
１１      取り付け板
１１１ａ  ガイドブロック
１１１ｂ  取り付けスロット
１１２    第１の側辺部
１１２ａ  第１の対応孔
１１３    第２の側辺部
１１３ａ１第１の定位ブロック
１１３ａ２第２の定位ブロック
１１３ｂ１第１の接続孔
１１３ｂ２第２の接続孔
１１３ｃ  定位セット
１２      調整板
１２１ａ  ガイドスロット
１２２    延伸板
１２２ａ  第２の対応孔
１３      取っ手
１４      支持モジュール
１４１    支持手段
１４１ａ  取り付け部
１４１ｂ  支持部
１４２    支持スペース
２        接合手段
２２      係合ユニット
２３      締付ユニット
２４      接続ユニット
３        橋架手段
３１      橋架端部
３１１    定位孔
３１２    取り付け孔
３２      橋架本体
３２１    電源取り付け孔
３２２    ポカヨケ孔
４        電源モジュール
４１      サーバー接続部
４１１    電源接続部
４１２    ポカヨケ柱
９        キャビネット
９１１    サーバー収容スペース
９２      フレームユニット
９２１    フレーム
９２１ａ  前フレーム
９２１ｂ  後フレーム
９２２    接合孔
Ｃ１      軸線
Ｄ１      幅方向
Ｄ２      長さ方向
Ｄ３      高さ方向
【要約】
【課題】様々な規格のサーバーに対応できるラック装置を提供する。
【解決手段】第１の側辺部１１２及び第２の側辺部１１３が形成される取り付け板１１と取り付け板１１に摺動できるように取り付けられる調整板１２とを有する２つの取り付けユニット１と、両端にある橋架端部３１がそれぞれ２つの第２の側辺部１１３に接続される橋架手段３とを具え、一方の第２の側辺部１１３には、第１の定位ブロック１１３ａ１と第１の定位ブロック１１３ａ１の下方にある第１の接続孔１１３ｂ１とが形成され、他方の第２の側辺部１１３には、第２の接続孔１１３ｂ２と第２の接続孔１１３ｂ２の下方にある第２の定位ブロック１１３ａ２とが形成され、
橋架端部３１には、対応の第２の側辺部１１３に形成された定位ブロック１１３ａ１、１１３ａ２により挿通可能な定位孔３１１と、接続孔１１３ｂ１、１１３ｂ２と連通可能な取り付け孔３１２とが形成されている。
【選択図】図４【図１】
0006864064.tif 000002
【図２】
0006864064.tif 000003
【図３】
0006864064.tif 000004
【図４】
0006864064.tif 000005
【図５】
0006864064.tif 000006
【図６】
0006864064.tif 000007
【図７】
0006864064.tif 000008
【図８】
0006864064.tif 000009
【図９】
0006864064.tif 000010
【図１０】
0006864064.tif 000011
【図１１】
0006864064.tif 000012
【図１２】
0006864064.tif 000013